(57)【要約】      （修正有）【課題】寸法や重量が適切であり、適度に撓んで魚信を得やすいなど、実際に使いやすい有利な釣竿穂先を提供する。【解決手段】釣竿穂先１は、先細りのテーパ部分１ｂを有していて釣竿の先に連結される中空または中実の金属製のものであって、上記の金属がベータチタンであること、最先端部分１ａの外径（直径）が1.5mm以下であること、上記のテーパが8/1000以上・20/1000以下であること、全長が100mm以上・200mm以下であり、上記のベータチタンがTi-22V-4AL（各数値はwt％）の組成のものである。【選択図】図１
2020120615.tif 000002
【特許請求の範囲】
【請求項１】
先細りのテーパ部分を有していて釣竿の先に連結される、中空または中実の金属製の釣竿穂先であって、
上記の金属がベータチタンであること、最先端部分の外径が1.5mm以下であること、上記のテーパが8/1000以上・20/1000以下であること、および、全長が100mm以上・200mm以下であることを特徴とする釣竿穂先。
【請求項２】
上記のベータチタンが、Ti-22V-4AL（各数値はwt％）の組成のものであることを特徴とする請求項１に記載の釣竿穂先。
【請求項３】
外表面にイオンプレーティング処理が施されていることを特徴とする請求項１または２に記載の釣竿穂先。
【請求項４】
イオンプレーティング処理によって窒化クロムの皮膜が形成された外表面上に、エポキシ系接着剤によって釣糸のガイドが固定されていることを特徴とする請求項３に記載の釣竿穂先。
【請求項５】
中実であるとともに、最先端部分の外径が0.8mm以下であること、および、中心線に沿って延びた連結用のストレート孔を後端部に有することを特徴とする請求項１〜４のいずれかに記載の釣竿穂先。
【請求項６】
中空であるとともに、外表面か中空部に面する内側の面かのいずれかに長さ方向に延びる筋状の凹凸があること、および、中心線に沿って延びた連結用のストレート孔を後端部に有することを特徴とする請求項１〜４のいずれかに記載の釣竿穂先。
【発明の詳細な説明】
【技術分野】
【０００１】
本発明は、釣竿の先に連結されて使用される釣竿穂先に関するものである。
【背景技術】
【０００２】
各種の釣竿は、繊維強化された樹脂材料で形成されるのが一般的である。しかし最近では、その最先端部分に、弾性に富んだ金属製の穂先をつなぐ例が知られている。負荷が集中しがちな穂先部分の強度を高めるとともに、その金属の撓みやすさに基づいて目視または手感度によって魚信（アタリ）を得やすくするためである。金属製の穂先を使用する釣竿の例は、下記の特許文献１にも示されている。
【先行技術文献】
【特許文献】
【０００３】
【特許文献１】特開２０１４−８７３００号公報
【発明の概要】
【発明が解決しようとする課題】
【０００４】
特許文献１には、繊維強化樹脂材料によって形成された釣竿（穂持部）の先に、金属管材料で形成された穂先（穂先部）を接続することが記載されている。そして当該穂先の金属として、ニッケルチタン等のチタン合金を使用するのがよいとされている。
【０００５】
しかし、釣竿の先に金属製の穂先を接続して使用するためには、穂先に十分な強度があることに加えて、穂先が重くならずに、つねに適度に撓んでくれること等が重要である。十分な強度が必要であることは言うまでもないが、穂先が重くなると釣竿の使い勝手が悪くなるうえアタリに対する反応が低下する。また、釣糸の張力を受けて適度に撓むようでないと十分な魚信を得ることができない。さらには、その撓み方が夏季にも冬季にも変わらないものであることも求められる。そして当然ながら、金属製穂先のために過剰なコストを要することとなるのは歓迎されない。
特許文献１には金属製穂先の材質や寸法等に関して具体的な記載がなく、そのために、穂先の重量や撓み、コスト等について必ずしも有利なものを提供できるか否か不明であった。
【０００６】
本願請求項に係る発明は、以上の点から、寸法や重量について好ましく、適度に撓んで魚信を得やすいなど、実際に使いやすい有利な釣竿穂先を提供するものである。
【課題を解決するための手段】
【０００７】
発明による釣竿穂先は、先細りのテーパ部分を有していて釣竿の先に連結される中空（内部に空洞部を有する）または中実（空洞部を有しない）の金属製の釣竿穂先（中空部分と中実部分とをともに有する場合をも含む）であって、
・  上記の金属がベータチタンであること、
・  最先端部分の外径（直径）が1.5mm以下であること、
・  上記のテーパが8/1000以上・20/1000以下であること、
・  および、全長が100mm以上・200mm以下であること
を特徴とする。なお、上記テーパの数値は、テーパ部分において先端側の細い部分からの直径の増分を長さで除した値である。
【０００８】
前述のように、釣竿穂先としてチタン合金等の金属製のものを使用することにより、穂先の強度を高め、穂先を適度に撓ませることが可能になる。しかし本発明の穂先は、穂先の金属としてベータチタンを採用するため、弾性に富んでいて張りが強く、釣竿の先につないで使用するうえでとくに好ましい。すなわち、ベータチタンは、高強度（高引張強度）であって低ヤング率（バネ性に優れる）である点で釣竿に適した特性を有しており、張りがあるうえに弾性変形域が広い。また、温度変化があってもその機械的特性がほとんど変化しないという面でも、他のチタン合金とは違って釣竿での使用に適しており、夏季にも冬季にも変化のない撓み方をする。このように、弾性変形によってつねに適度に撓むということは、釣竿穂先として必要な強度を確保しつつ、目視や手感度によって魚信を得やすいという効果をもたらす。なお、ベータチタンは、他のチタン合金と同様に軽量（低比重）であるほか耐食性にすぐれており、その点でも釣具部品としての使用に適している。
発明による上記の穂先は、寸法に関しても（したがって重量の面でも）釣竿の先に設けるうえで好ましい。金属製の穂先は、中空であっても中実であっても、外径を太くすると一般に重くなり、また適切な撓みが生じにくいので魚信も得にくい。しかし、釣竿との接続のために後端部分では2.0mm程度以上の太さが必要であるから、先端部分を細くした場合、テーパを適切に設定しないと全長が長くなってやはり重くなる。以上の点を考慮すると、上記のとおり、最先端部分の外径を1.5mm以下（かつ、後端部分の外径を2.0mm程度以上）とし、テーパを8/1000以上に大きくとって全長を200mm以下に抑えるのが有利なのである。
なお、もし全長が200mmを超えるような穂先では、軽量化のために径を細くすることと機械的強度を確保することとの両立が難しい。また、上記のテーパとして20/1000を超える大きなものにする場合には、加工上のコストが上昇する点で不利がともなう。
【０００９】
発明の釣竿穂先については、上記のベータチタンがTi-22V-4AL（各数値はwt％）の組成のものであると、とくに有利である。
Ti-22V-4ALのベータチタンは、JIS H 4600-80種に規定され、化学成分（各wt％）がN≦0.05、C≦0.10、H≦0.0150、Fe≦1.00、O≦0.25、3.50≦Al≦4.50、20.00≦V≦23.00、残部がTiであって、「DAT51」とも呼ばれるチタン合金である。高強度であってバネ性に優れることに加え、絞り特性が高くて冷間加工性に優れるという特性をも有している。
上記合金が冷間加工性に優れることから、この釣竿穂先はテーパ加工等が容易であり、したがって、特別なコストをかけることなく素材に上記の大きめのテーパを付与する等して、好ましい釣竿穂先を製造することを可能にする。
【００１０】
上記の釣竿穂先において、外表面にイオンプレーティング処理が施されているとさらに好ましい。
イオンプレーティング処理によって外表面に薄い皮膜を形成することにより、ユーザーに好まれる彩色や光沢を釣竿穂先にもたせることができ、また、耐食性等をさらに高めて美観や使用可能性を長期間維持できるようにし得るからである。
また、外表面にイオンプレーティング処理を施すのは、釣糸のガイドを取り付けるうえでも有利である。チタン合金の表面には一般に接着剤による接合が困難である。上述のとおり大きめのテーパが設けられていると、その接合が外れる可能性はとくに高い。しかし発明者らは、当該表面にイオンプレーティング処理を施すことによって、上記釣竿穂先の外表面に釣糸ガイドの脚部を強固に接合することを可能にした。すなわち、チタン合金（ベータチタン）製の穂先であっても、イオンプレーティング処理を施された部分には、アンカー効果に基づき接着剤によってガイドを固定することができ、釣竿の先端に取り付けて使用するうえで好ましい穂先となる。
【００１１】
上記のイオンプレーティング処理については、当該処理によって窒化クロム（CrN）の皮膜が形成され、その外表面にエポキシ系接着剤によって釣糸のガイドが固定されているのがよい。
窒化クロムはベータチタンを上回る硬さを有していて耐食性にも優れるため、上記のようにされた釣竿穂先においては、釣糸のガイドがしっかりと固定されることに加え、傷が付きにくく耐食性がさらに優れた長期間使用可能なものとなる。窒化クロムの皮膜は彩色や光沢の面でも好ましい。
【００１２】
発明による釣竿穂先が中実の（内部、とくに先端部付近に空洞部を有しない）ものである場合は、最先端部分の外径が0.8mm以下であり、また、中心線に沿って延びた連結用のストレート孔を後端部に有するのがよい。
中実の穂先については、同じサイズであれば中空のものよりも剛性が高いことから、最先端部分の外径を0.8mm以下とやや細めにするのが好ましい。そのような小径のものであっても、中実の穂先であれば必要な剛性を発揮できる。小径であることは軽量化を図るうえでも好ましい。
そして上記のように後端部に釣竿との連結用の孔を設けておくと、釣竿との連結が容易である。なお、連結用のその孔は、内径が一定のストレート孔である方が穂先の抜け防止をはかるうえで有利である。なお、連結に使用されない部分にも中空部を設けると、穂先を軽量化できるメリットがある。
【００１３】
一方、発明による釣竿穂先が中空の（内部に空洞部を有するパイプ状の）ものである場合は、外表面か中空部に面する内側の面かのいずれかに長さ方向に延びる筋状の凹凸があり、また、中心線に沿って延びた連結用のストレート孔を後端部に有するのがよい。
中空の穂先においても、連結用のストレート孔が後端部にあると釣竿との連結が容易である。また、内側の面に長さ方向に延びる筋状の凹凸を設けると、軽量化をはかりながらも曲げに対する剛性を確保するうえで有利である。
【発明の効果】
【００１４】
発明による釣竿穂先は、高強度・低ヤング率であって温度による特性変化が少ないという特性を有するベータチタンを素材とするため、釣竿穂先として必要な強度を確保しつつ目視や手感度によって夏季にも冬季にも魚信を得やすいものである。
また、発明の釣竿穂先は寸法設定等が適切であるため、重さや機械的強度、撓み特性、釣竿との接続可能性およびコストに関して有利である。すなわち、軽量であって違和感なく使用でき、釣竿穂先としての十分な強度があり、つねに適度に撓んで明確な魚信をもたらしてくれるうえ、釣竿との接続部分の強度等も確保しやすい。
外表面にイオンプレーティング処理を施すと、釣竿穂先に接着剤で釣糸ガイドを固定することが容易になる。同時に、ユーザーに好まれる彩色や光沢をもたせることができ、耐食性等をさらに高めて長期間使用できるよう構成することもできる。
【図面の簡単な説明】
【００１５】
【図１】発明の一実施形態として中空の釣竿穂先１を示す縦断面図である。なお、図面上の各部の寸法比率は現物を忠実に表すものではない。
【図２】発明の他の実施形態として中実の釣竿穂先２を示す縦断面図である。なお、図面上の各部の寸法比率は現物を忠実に表すものではない。
【図３】図１または図２の釣竿穂先１（または２）を有する釣竿１０の全体側面図である。
【発明を実施するための最良の形態】
【００１６】
発明による釣竿穂先を有する釣竿について、一例を図３に示す。
図３の釣竿１０は、鮎釣り等に使用される振出竿であり、元竿１０Ａの中に収められる複数の竿１０Ｂ、１０Ｂ…を図示のように引き出して使用するものである。そして最も先の竿１０Ｂの先端に、穂先１（または２）を連結して使用する。
【００１７】
元竿１０Ａと複数の竿１０Ｂとで構成される図３の釣竿１０は、繊維強化樹脂材料を主材料として形成したものである。すなわち、カーボンシート（炭素繊維）を複数層巻き付けてエポキシ樹脂等でそれらを接着し、加熱・加圧して円筒状にすることにより、各竿１０Ａ・１０Ｂを構成する。手感度によって魚信を得るうえでは、高弾性のカーボンシート（たとえば５０トンカーボン以上のもの）を使用することによって竿本体を弾性の高いものにするのが好ましい。また、さらに振動減衰率を小さくするため、樹脂率が15〜20％の低樹脂カーボンを含めて使用するとよい。
【００１８】
図１・図２のそれぞれには、釣竿１０の先端に連結した穂先（釣竿穂先）１・２と、それに直接つながった竿１０Ｂとの連結状態とを拡大して示している。
図１の穂先１は金属製であり、図示のように先細りのテーパ部分を有する中空のものである。金属製とするのは、負荷が集中しやすい穂先の強度を高めるとともに、穂先を撓みやすくして魚信を得やすくするためである。この例では、穂先１の金属としてベータチタン（とくに、JIS H 4600-80種に規定のTi-22V-4AL合金）を使用している。使用したベータチタンは、高強度であるとともに弾性に富んでいて、張りが強いうえに弾性変形域が広く、またそのような機械的特性が夏季にも冬季にもほとんど変化しないため、釣竿穂先として好適である。
【００１９】
穂先１は、最先端部分１ａの外径（直径）を0.90mmとし、それより後方にテーパ部分１ｂを形成して後部の最大外径を2.30mmとし、そのさらに後方に、後端部分１ｄまで太さが一定であるストレート部分１ｃを設けている。そして全長域を中空としたので、テーパ部分１ｂとストレート部分１ｃとの内側に空洞部１ｅがある。テーパ部分１ｂの長さ１ｘは100mm、その部分の肉厚は0.4mmである。ストレート部分１ｃは竿１０Ｂとの接続のための部分であり、長さ１ｙが25mm、外径が2.30mm、肉厚が0.3mm、内径が1.7mmである。
【００２０】
テーパ部分１ｂの最大太さとストレート部分１ｃの太さは、竿１０Ｂとの接続が容易であるよう大きめに定め、テーパ部分１ｂの長さは、穂先１の力学的負荷が過剰にならないよう短めに設定している。そのため、テーパ部分１ｂのテーパ（直径の増加割合）は、14.00/1000と大きくしている。
【００２１】
ベータチタン製の中空材は、たとえば、中実棒材に機械加工を施して穿孔管としたり、板材を丸めたうえ継目を溶接して電縫管としたり、あるいは、マンネスマン圧延穿孔機と各種の仕上げミルとの組合せにより圧延管材としたりすることによって、得ることができる。また、上記のテーパ部分１ｂは、そうして得た中空材にスエージング加工を施すことによって形成することができる。この例で使用する上記のTi-22V-4AL合金は冷間加工性に優れていて加工上有利である。そしてそのような加工の終了後に、焼入れ・焼戻し等の熱処理を行うことにより、しなやかな弾力を有する穂先１を完成できる。
なお、中空の穂先１においては、外表面か、空洞部１ｅに面する内側の面かに、長さ方向に延びる筋状の凹凸を形成すると好ましい。そのような筋状の凹凸を設けると、穂先１を軽量化しながらも曲げに対する剛性を確保することが可能だからである。たとえばレーザー加工によって外表面等にそのような凹凸を形成することができる。
【００２２】
穂先１は、図１に示すように中実円柱状の連結体（インロー部材）１１を介して釣竿１０に接続している。すなわち、穂先１の後端部の内側に連結体１１の前部を挿入し、その連結体１１の後部を竿１０Ｂの前端部内側に挿入することとし、前後の挿入部分に接着剤を使用する。連結体１１は、穂先１と同様のベータチタン（Ti-22V-4AL合金）で構成しているが、他の金属、または竿１０Ｂと同じ繊維強化樹脂材料で構成してもよい。連結体１１は、上記した中実円柱状のものに代えて、中空の円筒状のものを使用することもできる。連結体１１を用いた穂先１と竿１０Ｂとの連結部分付近が、負荷を受けたとき滑らかなカーブを描くように連結体１１の曲げ剛性を定めると好ましい。
【００２３】
穂先１の外表面には、イオンプレーティング処理によって窒化クロム（CrN）の皮膜（膜厚2〜5μｍ程度）を形成している。その皮膜が高硬度であるために、穂先１の外表面が傷付きにくく、また皮膜の耐食性に基づいて光沢が長く保たれる。そしてまた、イオンプレーティングによって表面に微細な凹凸が形成されることから、穂先１の外表面に、接着剤（エポキシ系接着剤）によって釣糸ガイドの脚部（図示省略）を安定的に接合することが可能になる。
【００２４】
図２には、最先端部分を含むほとんどの部分（全長の過半部）を中実にした穂先２を示している。この穂先２もベータチタン（穂先１と同じTi-22V-4AL合金）製であり、先細りのテーパ部分２ｂを有していて最先端部分２ａから直径が次第に拡大し、最大外径部から後端部分２ｄにまで、直径が一定のストレート部分２ｃを連続させている。ストレート部分２ｃは竿１０Ｂとの接続用の部分であって、内側にストレートの空洞部２ｅを設けることにより、図１の場合と同様の連結体１２を挿入して竿１０Ｂに接続できるようにしている。
【００２５】
主要部が中実であるため中空のものよりも剛性が高くなりやすいことから、最先端部分２ａの外径（直径）は0.60mmと細めにし、ストレート部分２ｃおよび後端部分２ｄの外径も1.90mmと細めにしている。テーパ部分２ｂは、長さ２ｘを125mmとしたため、そのテーパは10.40/1000である。また、テーパ部分２ｂ・ストレート部分２ｃとも肉厚を0.25mmとし、内径が1.40mmの空洞部２ｅを、ストレート部分２ｃの長さ２ｙ（25mm）にわたって形成している。空洞部２ｅの先端側には、軽量化のための空洞部２ｆを形成するのもよい。
【００２６】
図２に示す穂先２も、ベータチタン製の棒材にスエージング加工を施すことによってテーパ部分２ｂを形成する。空洞部２ｅや２ｆを形成するには、後端部分２ｄから機械加工によって穿孔するとよい。
【００２７】
この穂先２も、ベータチタンを素材としているために弾性に富み、しなやかに撓んで目視や手感度による好ましい魚信をもたらす。穂先２は、中実であるために製作が容易であることから、図１のものと同様の機能を有するとともに、より低コストの釣竿穂先として構成される。
【００２８】
なお、穂先２も、図示のとおり連結体（インロー部材）１２を介して釣竿１０に接続するとよい。ベータチタン等の金属や繊維強化樹脂材料で構成した中実円柱体または中空円筒体を連結体１２として、ストレート部分２ｃと竿１０Ｂの内側とにまたがるよう挿入することにより、穂先２と竿１０Ｂとを連結するのである。
【００２９】
また、図２の穂先２についてもイオンプレーティング処理を施すと好ましい。同処理によってたとえば窒化クロムの薄い皮膜を外表面に形成すると、その外表面に釣糸ガイドの脚部（図示省略）を接着剤にて固定することが可能になり、また、美観に富んだ光沢を外表面に付与してそれを長期間維持できるという利点がある。
【００３０】
すでに述べたように、図１または図２のような穂先１・２を図３のような釣竿１０の先に取り付けると、負荷が集中しやすい穂先部分を高強度にできるとともに、当該部分を弾性的に適度に撓むようにして感度を高め、魚信を得やすくすることができる。しかし、手感度をさらに高めて魚信を得やすくするためには、図３に示すように、釣竿１０の元竿１０Ａの後端部付近（握りの部分）に、チタンやチタン合金（たとえば純チタンやベータチタン）でできた円筒体１０Ｃを接続するのも好ましい。チタン等は低密度であって振動減衰率が小さいために、釣糸や竿１０を経て伝達される振動（魚の動き等に応じたもの）を釣り人の手に伝えやすいからである。図示の例では、長さが30〜50mm程度で厚さが1〜2mm程度のチタン合金製の円筒体１０Ｃを元竿１０Ａの基部にネジ結合し、さらにその後部にステンレス鋼製の尻栓１０Ｄをネジ結合して取り付けている。
【符号の説明】
【００３１】
１・２  穂先（釣竿穂先）
１ａ・２ａ  最先端部分
１ｂ・２ｂ  テーパ部分
１ｃ・２ｃ  ストレート部分
１ｅ・２ｅ・２ｆ  空洞部
１１・１２  連結体
１０  釣竿
１０Ａ  元竿
１０Ｂ  竿
【図１】
2020120615.tif 000003
【図２】
2020120615.tif 000004
【図３】
2020120615.tif 000005